(57)【要約】【課題】撮像された画像の色を忠実に再現することができるカラー画像信号処理装置を提供すること。【解決手段】光の三原色と補色関係にある補色フィルタを含み、被写体を撮像する撮像手段１０１と、撮像手段１０１によって撮像された画像の画像信号から補色信号を読み出す補色信号読出手段１０２と、無彩色の被写体を撮像したときに補色フィルタ毎に取得される補色信号の出力値のバランスによって調整されるホワイトバランス利得係数を生成するホワイトバランス利得係数生成手段１０３と、ホワイトバランス利得係数によって補色信号の補色ホワイトバランス処理を行う補色ホワイトバランス手段１０４とを備える構成とすることにより、撮像された画像の色を忠実に再現させるようにした。【選択図】          図１
2004236152.tif 000002
【特許請求の範囲】
【請求項１】
光の三原色と補色関係にある補色フィルタを含み、被写体を撮像する撮像手段と、前記撮像手段によって撮像された前記被写体の画像の画像信号から補色信号を読み出す補色信号読出手段と、無彩色の前記被写体を撮像したときに前記補色フィルタ毎に取得される前記補色信号の出力値のバランスによって調整されるホワイトバランス利得係数を生成するホワイトバランス利得係数生成手段と、前記ホワイトバランス利得係数によって前記補色信号の補色ホワイトバランス処理を行う補色ホワイトバランス手段とを備えたことを特徴とするカラー画像信号処理装置。
【請求項２】
無彩色の被写体を撮像したときに補色フィルタ毎に取得される補色信号の出力値のバランスによって調整されるホワイトバランス利得係数を生成するホワイトバランス利得係数生成工程を含むことを特徴とするカラー画像信号処理方法。
【請求項３】
請求項２に記載のホワイトバランス利得係数生成工程をコンピュータに実行させるためのプログラム。
【請求項４】
請求項２に記載のホワイトバランス利得係数生成工程をコンピュータに実行させるためのプログラムを記憶したコンピュータ読み取り可能な記憶媒体。
【発明の詳細な説明】
【０００１】
【発明の属する技術分野】
本発明は、カラー画像信号処理装置に関し、さらに詳しくは、カラー画像のホワイトバランスの調整処理を行うカラー画像信号処理装置に関する。
【０００２】
【従来の技術】
従来のカラー画像信号処理装置は、図７に示すようなものが知られている。図７に示されたカラー画像信号処理装置１０は、光の三原色の補色系の色成分からなるカラー画像信号、すなわち、イエロー（Ｙｅ）、シアン（Ｃｙ）、マゼンタ（Ｍｇ）、およびグリーン（Ｇ）の画像信号を所定の線形結合比によって線形結合処理し、中間信号Ａおよび中間信号Ｂを算出する第１の線形結合処理手段１と、中間信号Ａおよび中間信号Ｂを所定の線形結合比によって線形結合処理し、色差信号Ｕおよび色差信号Ｖを算出する第２の線形結合処理手段２と、前述の画像信号を線形結合処理し、輝度信号Ｙを算出する輝度信号線形結合処理手段３とを備えている。
【０００３】
従来のカラー画像信号処理装置１０は、まず、第１の線形結合処理手段１によって中間信号Ａおよび中間信号Ｂが算出される。詳しくは、前述の４色のうち、分光特性がほぼ対称をなす、ＭｇおよびＧと、ＹｅおよびＣｙとをそれぞれ組み合わせ、ＭｇおよびＧを所定の線形結合比で線形結合することによって第１の中間信号としての中間信号Ａが算出され、同様に、ＹｅおよびＣｙを所定の線形結合比で線形結合することによって第２の中間信号としての中間信号Ｂが算出される。
【０００４】
例えば、ＭｇとＧの線形結合比をＭｇ：Ｇ＝１：α、ＹｅとＣｙの線形結合比をＹｅ：Ｃｙ＝１：βとすれば、中間信号Ａおよび中間信号Ｂは、それぞれ式（１）および式（２）で表すことができる。
【０００５】
Ａ  ∝  Ｍｇ＋αＧ    （１）
Ｂ  ∝  Ｙｅ＋βＣｙ  （２）
【０００６】
次いで、第１の線形結合処理手段１によって求められた中間信号Ａおよび中間信号Ｂは、第２の線形結合処理手段２によって、所定の線形結合比で線形結合され色差信号Ｕが算出され、同様に、中間信号Ａおよび中間信号Ｂを所定の線形結合比で線形結合することによって色差信号Ｖが求められる。色差信号Ｕおよび色差信号Ｖは、それぞれ式（３）および式（４）で表すことができる。
【０００７】
Ｕ  ∝  Ａ＋γＢ      （３）
Ｖ  ∝  Ａ＋δＢ      （４）
【０００８】
式（１）および式（２）で示された中間信号Ａおよび中間信号Ｂを算出し、この中間信号Ａおよび中間信号Ｂの線形結合によって色差信号Ｕおよび色差信号Ｖを算出する処理過程において、中間信号Ａおよび中間信号Ｂを算出する際の線形結合比を変化させることによって、ＭｇおよびＧのバランス、ＹｅおよびＣｙのバランスを調整することができる。例えば、式（２）におけるβを変化させることによって、ＹｅおよびＣｙのバランスを調整することができる。また、必要に応じて、式（１）におけるαを変化させることによって、ＭｇおよびＧのバランスを調整することができる。
【０００９】
以上のように、従来のカラー画像信号処理装置は、ＹｅおよびＣｙと、ＭｇおよびＧとをそれぞれ組み合わせ、ＹｅおよびＣｙの組の線形結合比を変化させることによって、また、必要に応じてＭｇおよびＧの組の線形結合比を変化させることによって、カラー画像のホワイトバランスの調整処理ができるようになっている（例えば、特許文献１参照）。
【００１０】
【特許文献１】
特開２００１−１５７２１５号公報（第４−７頁、第１図）
【００１１】
【発明が解決しようとする課題】
しかしながら、このような従来のカラー画像信号処理装置では、補色信号毎に算出された線形結合係数によってホワイトバランス処理を行うので、計算量が多くなり演算処理部の負荷が増大するとともに、単板カラー撮像装置において一般的に使用されている方式、すなわち、撮像素子の色フィルタが補色フィールド色差順次で構成されていて垂直２画素加算読出しを行う場合には適用できないという問題があった。
【００１２】
また、従来のカラー画像信号処理装置では、ＭｇおよびＧの組とＹｅおよびＣｙの組とが有する分光特性は、厳密には非対称であるにも拘わらず、ほぼ対称と仮定し、補色信号毎に算出された線形結合係数によってホワイトバランス処理を行うので、色温度に対する応答特性が各組において非対称の状態でホワイトバランス処理が行われることになり、撮像された画像の色が忠実に再現できないという問題があった。
【００１３】
本発明は、このような問題を解決するためになされたものであり、カラー画像信号処理において慣用されているフィールド色差順次に適用でき、しかも、撮像された画像の色を忠実に再現することができるカラー画像信号処理装置を提供するものである。
【００１４】
【課題を解決するための手段】
本発明のカラー画像信号処理装置は、光の三原色と補色関係にある補色フィルタを含み、被写体を撮像する撮像手段と、前記撮像手段によって撮像された前記被写体の画像の画像信号から補色信号を読み出す補色信号読出手段と、無彩色の前記被写体を撮像したときに前記補色フィルタ毎に取得される前記補色信号の出力値のバランスによって調整されるホワイトバランス利得係数を生成するホワイトバランス利得係数生成手段と、前記ホワイトバランス利得係数によって前記補色信号の補色ホワイトバランス処理を行う補色ホワイトバランス手段とを備えたことを特徴とする構成を有している。
【００１５】
この構成により、補色ホワイトバランス手段は、無彩色の被写体を撮像したときに補色フィルタ毎に取得される補色信号の出力値のバランスによって調整されるホワイトバランス利得係数によって補色信号の補色ホワイトバランス処理を行うので、撮像された画像の色を忠実に再現することができる。
【００１６】
本発明のカラー画像信号処理方法は、無彩色の被写体を撮像したときに補色フィルタ毎に取得される補色信号の出力値のバランスによって調整されるホワイトバランス利得係数を生成するホワイトバランス利得係数生成工程を含むことを特徴とする方法を有している。
【００１７】
この方法により、ホワイトバランス利得係数生成工程において、無彩色の被写体を撮像したときに補色フィルタ毎に取得される補色信号の出力値のバランスによって調整されるホワイトバランス利得係数が生成されることとなる。
【００１８】
本発明のプログラムは、無彩色の被写体を撮像したときに補色フィルタ毎に取得される補色信号の出力値のバランスによって調整されるホワイトバランス利得係数を生成するホワイトバランス利得係数生成工程をコンピュータに実行させるためのプログラムである。
【００１９】
このプログラムにより、無彩色の被写体を撮像したときに補色フィルタ毎に取得される補色信号の出力値のバランスによって調整されるホワイトバランス利得係数を生成するホワイトバランス利得係数生成工程をコンピュータに実行させることができる。
【００２０】
本発明の記憶媒体は、無彩色の被写体を撮像したときに補色フィルタ毎に取得される補色信号の出力値のバランスによって調整されるホワイトバランス利得係数を生成するホワイトバランス利得係数生成工程をコンピュータに実行させるためのプログラムを記憶したコンピュータ読み取り可能な記憶媒体である。
【００２１】
この記憶媒体により、無彩色の被写体を撮像したときに補色フィルタ毎に取得される補色信号の出力値のバランスによって調整されるホワイトバランス利得係数を生成するホワイトバランス利得係数生成工程をコンピュータに実行させることができる。
【００２２】
【発明の実施の形態】
以下、本発明の実施の形態について、図面を参照して説明する。
【００２３】
まず、本発明の実施の形態のカラー画像信号処理装置の構成について説明する。
【００２４】
図１に示すように、本実施の形態のカラー画像信号処理装置１００は、光の三原色と補色関係にある補色フィルタを含み、被写体を撮像する撮像手段１０１と、撮像手段１０１によって撮像された画像の画像信号から補色信号を読み出す補色信号読出手段１０２と、無彩色の被写体を撮像したときに補色フィルタ毎に取得される補色信号の出力値のバランスによって調整されるホワイトバランス利得係数を生成するホワイトバランス利得係数生成手段１０３と、ホワイトバランス利得係数によって補色信号の補色ホワイトバランス処理を行う補色ホワイトバランス手段１０４とを備えている。
【００２５】
また、撮像手段１０１は、補色フィルタを有する撮像素子１０１ａと、前処理を行う前処理回路１０１ｂとを備えている。撮像素子１０１ａは、例えば、ＣＣＤ（Ｃｈａｒｇｅ  Ｃｏｕｐｌｅｄ  Ｄｅｖｉｃｅ）またはＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等のイメージセンサによって構成されている。
【００２６】
また、前処理回路１０１ｂは、例えば、画像ノイズを除去するＣＤＳ（Ｃｏｒｒｅｌａｔｉｏｎ  Ｄｏｕｂｌｅ  Ｓａｍｐｌｉｎｇ：相関二重サンプリング）回路、画像信号の利得を制御する利得制御回路、画像信号の輝度値をガンマ変換するガンマ変換回路等によって構成されている。
【００２７】
補色信号読出手段１０２、ホワイトバランス利得係数生成手段１０３、および補色ホワイトバランス手段１０４は、例えば、ＣＰＵ、ＲＡＭ、ＲＯＭ等により構成されている。
【００２８】
補色信号読出手段１０２は、撮像素子１０１ａが有する補色フィルタを介し、撮像素子１０１ａによって撮像された画像の画像信号から各補色信号を読み出すようになっている。
【００２９】
なお、補色フィルタは、光の三原色であるレッド（Ｒ）、グリーン（Ｇ）、およびブルー（Ｂ）とそれぞれ補色関係にあるシアン（Ｃｙ）、マゼンタ（Ｍｇ）、およびイエロー（Ｙｅ）の３色とグリーン（Ｇ）とによって構成されている。また、撮像素子１０１ａが有する補色フィルタは、図２に示すように、Ａ１列からＡ３列までのＡフィールドとＢ１列およびＢ２列のＢフィールドとを含む補色フィールド色差順次によって構成されているものとする。
【００３０】
次に、本実施の形態のカラー画像信号処理装置１００の動作について、図３を参照して説明する。
【００３１】
図３において、まず、撮像手段１０１の撮像素子１０１ａによって、被写体が撮像され、被写体の画像信号が取得される（ステップＳ３０１）。次いで、前処理回路１０１ｂによって、画像信号が前処理される（ステップＳ３０２）。例えば、前処理回路１０１ｂがＣＤＳ回路によって構成されている場合は、画像信号に含まれる画像ノイズが除去される。さらに、補色信号読出手段１０２によって、撮像手段１０１が撮像した画像の画像信号から垂直２画素加算された４種類の補色信号が読み出される（ステップＳ３０３）。
【００３２】
ここで、図２を参照して、補色信号の読出し例を説明する。図２に示されたＡフィールドのＡ１列においては、補色信号読出手段１０２によって、垂直２画素加算された４種類の補色信号がＣＭ（Ｃｙ＋Ｍｇ）、ＹＧ（Ｙｅ＋Ｇ）、ＣＭ、ＹＧの順序で読み出され、Ａ２列においては、垂直２画素加算された４種類の補色信号がＣＧ（Ｃｙ＋Ｇ）、ＹＭ（Ｙｅ＋Ｍｇ）、ＣＧ、ＹＭの順序で読み出される。
【００３３】
一方、ＢフィールドのＢ１列においては、補色信号読出手段１０２によって、垂直２画素加算された４種類の補色信号がＣＭ、ＹＧ、ＣＭ、ＹＧの順序で読み出され、ＢフィールドのＢ２列においては、垂直２画素加算された４種類の補色信号がＣＧ、ＹＭ、ＣＧ、ＹＭの順序で読み出される。
【００３４】
したがって、補色信号読出手段１０２によって、列と行の偶奇に応じた補色信号が種類毎に読み出される。例えば、図２におけるＡフィールドにおいては、補色信号読出手段１０２によって読み出される奇数列における奇数番目画素は、必ずＣＭである。
【００３５】
引き続き、ホワイトバランス利得係数生成手段１０３によって、ホワイトバランス利得係数が生成される（ステップＳ３０４）。ここで、ホワイトバランス利得係数とは、後述するホワイトバランス係数および応答特性調整係数をいう。そして、補色ホワイトバランス手段１０４によって、補色信号の出力値にホワイトバランス利得係数を乗ずることにより補色ホワイトバランス処理が行われる（ステップＳ３０５）。
【００３６】
ここで、前述のホワイトバランス利得係数の生成および補色ホワイトバランス処理について、実際の撮像素子によって撮像した実測データを参照して説明する。以下の説明における各数値は、本実施の形態を説明するためのデータの一例であり、これらのデータは、撮像素子および撮像条件等によって異なるものである。
【００３７】
図４は、無彩色の被写体を撮像素子で撮像したときに得られる各補色信号の色温度に対する応答特性のグラフを示している。図４において、グラフの横軸は色温度、縦軸は相対応答量を示し、色温度が２５００Ｋ、３０００Ｋ、４０００Ｋ、５０００Ｋ、および８０００Ｋに対するＹＭ、ＣＧ、ＹＧ、およびＣＭの相対応答量がプロットされている。
【００３８】
図４に示すように、色温度に対する応答特性が対称になる補色信号の組み合わせは、ＹＭおよびＣＧ，ＹＧおよびＣＭである。色温度に対する各補色信号の応答特性の対称性を調査するために、ＹＭの応答特性およびＹＧの応答特性がそれぞれ直線になるよう各組毎にグラフの横軸を基準化する。図５は、色温度に対するＹＭの応答特性が直線になるよう横軸を基準化したグラフ、図６は、色温度に対するＹＧの応答特性が直線になるよう横軸を基準化したグラフを示している。
【００３９】
図５および図６に示すように、各補色信号の応答特性のグラフは、ほぼ直線としてプロットされる。このとき、各補色信号の応答特性のグラフの傾きは以下に示すとおりである。
【００４０】
ＹＭ：−０．０８８３０                （５）
ＣＧ：  ０．０８５８９                （６）
ＹＧ：−０．１０６６８                （７）
ＣＭ：  ０．１０９０９                （８）
【００４１】
色温度に対する応答特性が対称になる組み合わせは、ＹＭおよびＣＧ，ＹＧおよびＣＭなので、厳密に応答特性が対称であるならば、補色ホワイトバランス処理は、ホワイトバランス係数ｗｂｋ１（０＜ｗｂｋ１＜２）およびホワイトバランス係数ｗｂｋ２（０＜ｗｂｋ２＜２）を用い、基準利得を１として、以下式に従って実施すればよい。
【００４２】
ＹＧ  ＝  ＹＧ×ｗｂｋ１              （９）
ＣＭ  ＝  ＣＭ×（２−ｗｂｋ１）      （１０）
ＣＧ  ＝  ＣＧ×ｗｂｋ２              （１１）
ＹＭ  ＝  ＹＭ×（２−ｗｂｋ２）      （１２）
【００４３】
しかしながら、各補色信号の応答特性のグラフの傾きを示した式（５）ないし式（８）からわかるように、ＹＭおよびＣＧの組と、ＹＧおよびＣＭの組との各組において傾きの絶対値は一致していない。すなわち、ＹＭおよびＣＧの組と、ＹＧおよびＣＭの組との各組において応答特性は対称ではない。したがって、応答特性の非対称性を補償する係数ｋａＹＧＣＭおよび係数ｋａＣＧＹＭ（いずれも基準値は１）と、係数ｋｂＹＧＣＭおよび係数ｋｂＣＧＹＭ（いずれも基準値は２）を導入し、補色ホワイトバランス手段１０４で行う処理を、以下に示す式を用いて行う。なお、応答特性の非対称性を補償する係数は、以下、応答特性調整係数という。
【００４４】
ＹＧ  ＝  ＹＧ×ｗｂｋ１                                      （１３）
ＣＭ  ＝  ＣＭ×（２−ｗｂｋ１×ｋａＹＧＣＭ＋ｋｂＹＧＣＭ）  （１４）
ＣＧ  ＝  ＣＧ×ｗｂｋ２                                      （１５）
ＹＭ  ＝  ＹＭ×（２−ｗｂｋ２×ｋａＣＧＹＭ＋ｋｂＣＧＹＭ）  （１６）
【００４５】
ホワイトバランス利得係数生成手段１０３は、補色ホワイトバランス係数ｗｂｋ１およびｗｂｋ２と、応答特性調整係数ｋａＹＧＣＭ、ｋａＣＧＹＭ、ｋｂＹＧＣＭ、およびｋｂＣＧＹＭとの６つの係数を生成すればよい。補色ホワイトバランス係数ｗｂｋ１およびｗｂｋ２は、被写体および撮像条件によって変化するので調整を要する係数であり、応答特性調整係数ｋａＹＧＣＭ、ｋａＣＧＹＭ、ｋｂＹＧＣＭ、およびｋｂＣＧＹＭは、撮像素子１０１ａの色温度に対する応答特性によって決定される係数である。
【００４６】
なお、前述の式（１３）ないし式（１６）は、応答特性調整係数ｋａＹＧＣＭ、ｋａＣＧＹＭ、ｋｂＹＧＣＭ、およびｋｂＣＧＹＭを調整することによって、補色信号本来の応答特性が得られるように補色ホワイトバランスを調整することを前提としている。しかしながら、実際の画像信号処理においては、必ずしも補色信号本来の応答特性に合致した出力を得なければならないわけではなく、応答特性調整係数ｋａＹＧＣＭ、ｋａＣＧＹＭ、ｋｂＹＧＣＭ、およびｋｂＣＧＹＭを適宜調整することによって、任意の補色信号応答特性、すなわち、任意の色再現性を得ることが可能となる。したがって、使用者が所望の色再現性を得るために、応答特性調整係数ｋａＹＧＣＭ、ｋａＣＧＹＭ、ｋｂＹＧＣＭ、およびｋｂＣＧＹＭを使用者が調整できるよう構成してもよい。
【００４７】
また、式（９）ないし式（１６）に記載された定数、基準値、および係数の設定範囲は、記載された値に限定されるものではない。
【００４８】
また、ホワイトバランス係数や、応答特性調整係数は、必ずしも小数で表現される必要はない。例えば、まず、整数１６進数表記でホワイトバランス係数の設定範囲を以下のように設定する。
【００４９】
０ｘ００＜ｗｂｋ１＜０ｘ１００                                （１７）
０ｘ００＜ｗｂｋ２＜０ｘ１００                                （１８）
【００５０】
次に、ｔ１、ｔ２を下記のように定める。
ｔ１＝（ｗｂｋ１×ｋａＹＧＣＭ）／０ｘ８０                    （１９）
ｔ２＝（ｗｂｋ２×ｋａＣＧＹＭ）／０ｘ８０                    （２０）
【００５１】
そして、補色ホワイトバランス処理の算出式を以下のようにする。
ＹＧ  ＝  ＹＧ×ｗｂｋ１／０ｘ８０                            （２１）
ＣＭ  ＝  ＣＭ×（０ｘ１００−ｔ１＋ｋｂＹＧＣＭ）／０ｘ８０
ＣＧ  ＝  ＣＧ×ｗｂｋ２／０ｘ８０                            （２２）
ＹＭ  ＝  ＹＭ×（０ｘ１００−ｔ２＋ｋｂＣＧＹＭ）／０ｘ８０  （２３）
【００５２】
式（１９）ないし式（２３）に示された０ｘ８０で割る演算は、７ビット右シフト演算に相当し、小数演算器を用いることなく、シフト演算によって所望の効果を容易に得ることができる。また、各式の演算を行う演算量を増加させるに従ってホワイトバランス利得係数の精度は向上する関係にあるので、本処理を行うＤＳＰ（Ｄｉｇｉｔａｌ  Ｓｉｇｎａｌ  Ｐｒｏｃｅｓｓｏｒ）やＭＰＵ（Ｍｉｃｒｏ  Ｐｒｏｃｅｓｓｉｎｇ  Ｕｎｉｔ）の能力または処理によって得られる画質により、ホワイトバランス利得係数の精度を決定すればよい。
【００５３】
また、本実施の形態では、撮像素子１０１ａが有する色フィルタは補色フィールド色差順次で構成され、垂直２画素加算して読み出されるものとして説明を行ったが、撮像素子１０１ａの色フィルタの構成および読出し方法はこれらに限定されるものではない。例えば、補色信号としてＹｅ、Ｃｙ、Ｍｇ、およびＧが読み出される場合、色温度に対する応答特性がほぼ対称をなす組、例えば、ＭｇとＧの組と、ＹｅとＣｙの組について処理を行ってもよい。
【００５４】
なお、前述のステップＳ３０４がホワイトバランス利得係数生成工程を構成している。また、前述のステップＳ３０１からステップＳ３０５までの工程をプログラミングし、このプログラムを記憶媒体に記憶させることができる。そして、記憶媒体に記憶されたプログラムをコンピュータに読み取らせることによって、ＤＳＰまたはＭＰＵ等によりカラー画像のホワイトバランスの調整処理を実現することができる。
【００５５】
以上のように、本実施の形態のカラー画像信号処理装置１００によれば、補色信号読出手段１０２は、補色フィールド色差順次で構成された補色フィルタを介して補色信号を読み出し、ホワイトバランス利得係数生成手段１０３は、無彩色の被写体を撮像したときに補色フィルタ毎に取得される補色信号の出力値のバランスによって調整されるホワイトバランス利得係数を生成し、補色ホワイトバランス手段１０４は、ホワイトバランス利得係数によって補色信号の補色ホワイトバランス処理を行う構成としたので、カラー画像信号処理において慣用されているフィールド色差順次に適用でき、しかも、撮像された画像の色を忠実に再現することができる。
【００５６】
【発明の効果】
以上説明したように、本発明によれば、撮像された画像の色を忠実に再現することができるカラー画像信号処理装置を提供することができる。
【図面の簡単な説明】
【図１】本発明の実施の形態のカラー画像信号処理装置のブロック図
【図２】補色フィールド色差順次によって構成された補色フィルタの一例を示す図
【図３】本発明の実施の形態のカラー画像信号処理装置の各ステップのフローチャート
【図４】色温度に対する応答特性の一例を示すグラフ
【図５】色温度に対するＹＭの応答特性が直線になるよう横軸を基準化したグラフ
【図６】色温度に対するＹＧの応答特性が直線になるよう横軸を基準化したグラフ
【図７】従来のカラー画像信号処理装置のブロック図
【符号の説明】
１００  カラー画像信号処理装置
１０１  撮像手段
１０１ａ  撮像素子
１０１ｂ  前処理回路
１０２  補色信号読出手段
１０３  ホワイトバランス利得係数生成手段
１０４  補色ホワイトバランス手段
【図１】
2004236152.tif 000003
【図２】
2004236152.tif 000004
【図３】
2004236152.tif 000005
【図４】
2004236152.tif 000006
【図５】
2004236152.tif 000007
【図６】
2004236152.tif 000008
【図７】
2004236152.tif 000009